(57)【要約】      （修正有）【課題】包装機械を管理・運用していく上で、操作性が良く管理が容易な有体物による秘匿性の高い操作者の識別手段を提供する。【解決手段】包装機械を管理・運用していく上で、操作者の識別が必要なときに、認証機能付きＵＳＢメモリに代表される持ち運びが可能な記憶手段を使用する。持ち運びが可能な記憶手段に個人識別情報又は包装機械へのアクセス権限情報を専用アプリケーションでのみアクセス可能な領域に書き込んでおき、該情報を操作者の識別に使用する。ＵＳＢメモリは、有体物であるから、操作性が良く管理も容易になる。【選択図】図５
2012006647.tif 000002
【特許請求の範囲】
【請求項１】
機械の運転及び操作を、アクセス権限のある機械使用者に限定する機能を備え、持ち運びが可能な記憶手段が接続可能な包装機械において、
前記アクセス権限の識別に、持ち運びが可能な記憶手段に書き込まれた、個人識別情報又はアクセス権限情報を用いることを特徴とする包装機械管理システム。
【請求項２】
アクセス権限に応じたアクセスレベルが設定されており、アクセスレベルごとに、表示される項目又は操作可能な項目が異なるようにすることができる機能を備え、持ち運びが可能な記憶手段が接続可能な包装機械において、
前記アクセス権限の識別に、前記持ち運びが可能な記憶手段に書き込まれた、前記個人識別情報又は前記アクセス権限情報を用いることを特徴とする包装機械管理システム。
【請求項３】
前記アクセス権限の識別に、前記持ち運びが可能な記憶手段に書き込まれた前記アクセス権限情報を用いることを特徴とする請求項２に記載の包装機械管理システム。
【請求項４】
前記アクセス権限の識別に、持ち運びが可能な記憶手段に書き込まれた前記個人識別情報に基づいて、前記アクセスレベルを機械使用者が機械に設定登録した情報を用いることを特徴とする請求項２に記載の包装機械管理システム。
【請求項５】
機械の操作があったときに、該操作の内容を日時等の情報と共に履歴として記録保存する機能を備え、持ち運びが可能な記憶手段が接続可能な包装機械において、
前記情報に操作者を特定する項目を含み、前記操作者を特定する手段として前記持ち運びが可能な記憶手段に書き込まれた前記個人識別情報又は前記アクセス権限情報を用いることを特徴とする包装機械管理システム。
【請求項６】
機械が警報によって停止した場合に、該停止状態からの運転再開にあたって管理責任者の確認を求める機能を備え、持ち運びが可能な記憶手段が接続可能な包装機械において、
前記管理責任者の識別に前記持ち運びが可能な記憶手段に書き込まれた前記個人識別情報又は前記アクセス権限情報を用いることを特徴とする包装機械管理システム。
【請求項７】
機械の運転に必要な設定データ又は操作履歴や生産記録を含む稼動データを持ち運びが可能な記憶手段に保存する機能を備え、持ち運びが可能な記憶手段が接続可能な包装機械において、
前記データの保存の際に、該保存の実行を管理者に制限する機能を備え、その識別に前記持ち運びが可能な記憶手段に書き込まれた前記個人識別情報又は前記アクセス権限情報を用いることを特徴とする包装機械管理システム。
【請求項８】
前記持ち運びが可能な記憶手段が接続される機械の表示・制御手段がパネルコンピュータであることを特徴とする請求項１から請求項７のいずれか一項に記載の包装機械管理システム。
【請求項９】
前記持ち運びが可能な記憶手段が接続される機械の表示・制御手段が制御用基板であることを特徴とする請求項１から請求項７のいずれか一項に記載の包装機械管理システム。
【請求項１０】
前記持ち運びが可能な記憶手段が、ＵＳＢメモリであり、前記個人識別情報又は前記アクセス権限情報が前記ＵＳＢメモリの専用アプリケーションでのみアクセス可能な領域に機械製造者によって暗号化して書き込まれていることを特徴とする請求項１から請求項９のいずれか一項に記載の包装機械管理システム。
【発明の詳細な説明】
【技術分野】
【０００１】
本発明は、認証機能付きリムーバブルデバイスを用いた包装機械管理システムに関する。                        
【背景技術】
【０００２】
包装機械には、帯状包装材を製筒器により筒状に成形された包装材中に、被包装品を順次充填し、該筒状に成形された包装材の長手方向の両端縁重合部に縦シールを施すと共に、充填された被包装品を挟む前後において横方向に横シール並びに切断を施して包装体を製造するピロー包装機や、被包装品を裁断された包装材で包むように包装するラッピング包装機などの種類があり、広く普及している。この種の包装機は、高い汎用性や高機能化が求められており、その要望に答えた結果、操作の複雑化や設定項目の増大による誤操作の発生といった問題を抱えるに至った。この問題を解決するために、オペレータの習熟度に合わせて制御基板上に設けた複数のディップスイッチの設定による機械の操作規制を行う方法（例えば、特許文献１参照）。パスワード登録によるユーザーごとに操作画面をカスタマイズやアクセスレベルの設定を行えるようにする方法（例えば、特許文献２参照）などが提案されている。
【０００３】
近年、生産機械には、品質管理上の要求から機械の稼動データの記録が求められているが、包装機械も例外ではない。この機械の稼動データの中には機械の操作履歴も含まれている（例えば、特許文献３参照）。この操作記録はいつ何の操作が行われたかは記録できたが誰がという操作者の特定はできなかった。操作者を特定し、機械の操作を許可し、該操作の記録を残す方法としては、パスワード入力により担当者識別を行う方法が提案されている（例えば、特許文献４参照）。
【０００４】
ところで、近年、個人特定の手段として認証機能付きのリムーバブルデバイスを用いる方法が提案されている（例えば、特許文献５参照）。これは、ＵＳＢフラッシュメモリのようなリムーバブルデバイスに、専用のアプリケーションでのみアクセス可能な領域を設け、該領域に個人識別データを書き込んだものである。専用の機器でなければアクセスできないのであるから通常のパーソナルコンピュータでは読み出しはもちろん改竄もできないのであるから、秘匿性が高く、かつ有体物であるので管理が容易である利点をもつ。
【先行技術文献】
【特許文献】
【０００５】
【特許文献１】特開平２−１６６０３０号公報（第２頁右上欄第２０行目から同頁左下欄第１２行目及び、第７頁左下欄第１４行目から第８頁右上欄第１６行目及び、図４及び、図５）
【特許文献２】特開２００９−２７１７７１号公報（段落１２）
【特許文献３】特開平１０−３３１２号公報（段落１０）
【特許文献４】特開平１０−２１８１１０号公報（段落８及び段落１０）
【特許文献５】特開２００５−１２５７０７号公報（段落６）
【発明の概要】
【発明が解決しようとする課題】
【０００６】
上記のように、包装機械のアクセスレベルなどの操作規制や操作者の確認及びその記録を行うときの個人識別手段としてパスワード入力が用いられている。特許文献１に示されている複数のディップスイッチの設定による方法も一種のパスワードである。ディップスイッチとは、特許文献１の図４に示されているように、複数のＯＮ／ＯＦＦスイッチを鍵盤状に配列したもので、各スイッチのＯＮ／ＯＦＦの組合せをデータとして扱うものであるからである。このような、パスワード方式には秘匿性が高い反面、無体物であるが故に管理しづらく、忘れた場合に操作が困難になる難点や入力時に操作を他者に見られた場合または、パスワードを記録したメモを他者に見られた場合、秘匿性がなくなるという難点がある。つまり、パスワードを知り得た者であれば、誰でも操作できてしまうため、操作者の特定や識別という点では難点がある。さらに、操作の履歴を記録した場合においても、記録上は、パスワードが入力されて、操作が行なわれたことしか記録できず、誰がその操作を行なったかまでは特定し得ない。また、操作担当者や責任者が変更になった場合の引継ぎやパスワードの再設定が必要になるなど手間がかかる。
【０００７】
本発明は、上記課題を解決するためになされたもので、包装機械を管理・運用していく上で、操作性が良く管理が容易な有体物による秘匿性の高い操作者の識別手段を用いた包装機械管理システムを提供することである。
【課題を解決するための手段】
【０００８】
本発明の第１の発明は、機械の運転及び操作を、アクセス権限のある機械使用者に限定する機能を備え、持ち運びが可能な記憶手段が接続可能な包装機械において、
前記アクセス権限の識別に、持ち運びが可能な記憶手段に書き込まれた、個人識別情報又はアクセス権限情報を用いることを特徴とする包装機械管理システムである。
【０００９】
本発明の第２の発明は、アクセス権限に応じたアクセスレベルが設定されており、アクセスレベルごとに、表示される項目又は操作可能な項目が異なるようにすることができる機能を備え、持ち運びが可能な記憶手段が接続可能な包装機械において、
前記アクセス権限の識別に、前記持ち運びが可能な記憶手段に書き込まれた、前記個人識別情報又は前記アクセス権限情報を用いることを特徴とする包装機械管理システムである。
【００１０】
本発明の第３の発明は、第２の発明に係るもので、前記アクセス権限の識別に、前記持ち運びが可能な記憶手段に書き込まれた前記アクセス権限情報を用いることを特徴とする包装機械管理システムである。
【００１１】
本発明の第４の発明は、第２の発明に係るもので、前記アクセス権限の識別に、持ち運びが可能な記憶手段に書き込まれた前記個人識別情報に基づいて、前記アクセスレベルを機械使用者が機械に設定登録した情報を用いることを特徴とする請求項２に記載の包装機械管理システムである。
【００１２】
本発明の第５の発明は、機械の操作があったときに、該操作の内容を日時等の情報と共に履歴として記録保存する機能を備え、持ち運びが可能な記憶手段が接続可能な包装機械において、
前記情報に操作者を特定する項目を含み、前記操作者を特定する手段として前記持ち運びが可能な記憶手段に書き込まれた前記個人識別情報又は前記アクセス権限情報を用いることを特徴とする包装機械管理システムである。
【００１３】
本発明の第６の発明は、機械が警報によって停止した場合に、該停止状態からの運転再開にあたって管理責任者の確認を求める機能を備え、持ち運びが可能な記憶手段が接続可能な包装機械において、
前記管理責任者の識別に前記持ち運びが可能な記憶手段に書き込まれた前記個人識別情報又は前記アクセス権限情報を用いることを特徴とする包装機械管理システムである。
【００１４】
本発明の第７の発明は、機械の運転に必要な設定データ又は操作履歴や生産記録を含む稼動データを持ち運びが可能な記憶手段に保存する機能を備え、持ち運びが可能な記憶手段が接続可能な包装機械において、
前記データの保存の際に、該保存の実行を管理者に制限する機能を備え、その識別に前記持ち運びが可能な記憶手段に書き込まれた前記個人識別情報又は前記アクセス権限情報を用いることを特徴とする包装機械管理システムである。
【００１５】
本発明の第８の発明は、第1の発明から第７の発明のいずれか一つに係わるもので、前記持ち運びが可能な記憶手段が接続される機械の表示・制御手段がパネルコンピュータであることを特徴とする包装機械管理システムである。
【００１６】
本発明の第９の発明は、第1の発明から第７の発明のいずれか一つに係わるもので、前記持ち運びが可能な記憶手段が接続される機械の表示・制御手段が制御用基板であることを特徴とする包装機械管理システムである。
【００１７】
本発明の第１０の発明は、第1の発明から第９の発明のいずれか一つに係わるもので、前記持ち運びが可能な記憶手段が、ＵＳＢメモリであり、前記個人識別情報又は前記アクセス権限情報が前記ＵＳＢメモリの専用アプリケーションでのみアクセス可能な領域に機械製造者によって暗号化して書き込まれていることを特徴とする包装機械管理システムである。
【発明の効果】
【００１８】
本発明によれば、包装機械を管理・運用していく上で、操作者の識別が必要なときに有体物である個人識別情報又は包装機械へのアクセス権限情報の書き込まれた持ち運びが可能な記憶手段を使用するので、操作性が良く管理が容易である。さらに、前記個人識別情報又は前記包装機械へのアクセス権限情報が、前記持ち運びが可能な記憶手段の専用アプリケーションでのみアクセス可能な領域に暗号化して書き込まれているので秘匿性も高い。さらに、操作者の識別・特定が確実に行なうことができ、その記録を履歴に残すこともできる。
【図面の簡単な説明】
【００１９】
【図１】ＵＳＢメモリの管理情報書き込み領域と該領域に書き込まれる管理情報の構成を示した図である。
【図２】実施例１の処理のフローチャートと処理後に表示するメッセージを示した図である。
【図３】包装機械の操作画面構成とそのアクセスレベルを示した図である。
【図４】各アクセスレベルのときの運転画面を示した図である。
【図５】アクセスレベルの変更画面を示した図である。
【図６】アクセスレベルの認証メッセージを示した図である。
【図７】操作履歴の記録内容と操作履歴の表示画面を示した図である。
【図８】運転再開に管理者の確認が必要な警報が発生した場合に表示されるメッセージと管理者確認のフローチャートを示した図である。
【図９】運転再開に管理者の確認が必要な警報が発生した場合に、管理者確認作業後に表示されるメッセージを示した図である。
【図１０】データ保存作業時に表示されるメッセージとデータ保存作業のときの管理者確認のフローチャートを示した図である。
【図１１】データ保存作業のときの管理者確認終了後のメッセージを示した図である
【発明を実施するための形態】
【００２０】
以下、図を参照しながら本発明の実施形態について詳細に説明する。本発明は、個人識別情報又は包装機械へのアクセス権限情報の書き込まれた、持ち運びが可能な記憶手段を用いて行われるが、その情報がどのように書き込まれているかについて図１を用いて説明する。持ち運びが可能な記憶手段はＵＳＢ、ＣＦ、ＳＤ等多品種が存在しているが、ＵＳＢメモリの場合で説明する。ＵＳＢメモリは多様な形式が販売されているが、図１（ａ）に示すような通常ではアクセスできない、ベンダー領域１０と呼ばれる領域が用意されている。ベンダー領域１０は専用のアプリケーションを使用したときのみアクセスが可能であり、通常のパーソナルコンピュータではアクセス不可能に構成されている。このベンダー領域１０に個人識別情報１１又は包装機械へのアクセス権限情報１２を書き込んで使用する。個人識別情報１１は、会社ＩＤコード１３、会社名文字データ１４、個人ＩＤコード１５、個人名文字データ１６から構成されている。ＵＳＢメモリは、機械製造者が機械使用者の要望に応じて専用のアプリケーションを使用してデータを暗号化して書き込み頒布する。書き込まれるデータは図１（ｂ）に示すような構成となっている。暗号化してあることで、仮にベンダー領域を参照できたとしても、データの意味を理解することは容易ではなく、秘匿性を高めることができる。
【実施例１】
【００２１】
本発明の第１の発明を実施した場合を説明する。第１の発明は、個人識別情報又は包装機械へのアクセス権限情報の書き込まれた、持ち運びが可能な記憶手段が接続されること無しには包装機械の運転及び操作を規制するものである。ここでは、持ち運びが可能な記憶手段に第１０の発明にある認証機能付きＵＳＢメモリを使用し、その接続先には、第１１の発明にあるＵＳＢインターフェースを備えたタッチスイッチインターフェースを備えたパネルコンピュータであり、ＵＳＢメモリのベンダー領域１０にアクセス可能なアプリケーションが組み込まれている。パネルコンピュータは、電源が投入されると同時に図２（ａ）に示される処理を実施する。まず、ＵＳＢメモリの接続確認２１を行い、ＵＳＢメモリが接続されていれば、個人識別情報の確認２２に移行し、ＵＳＢの装着が確認できなければ拒絶メッセージの表示２４を行う。識別情報の確認２２ではＵＳＢメモリに書き込まれている識別情報１１の個人名の文字データ１６のデータが包装機械に登録されている個人名のデータと一致するかをチェックし、一致すれば確認終了メッセージ２３の表示に移行し、一致しなければ拒絶メッセージ２４の表示を行う。図２（ｂ）に拒絶メッセージ２４の表示の例、図２（ｃ）に確認終了メッセージ２３の表示の例を示す。
【００２２】
図２（ｃ）に示す確認終了メッセージが表示され、確認ボタン１が押されたら、通常の運転画面に移行する。この実施例においては、上記操作者確認が終了した後はＵＳＢを離脱させても支障がないように構成しているが、常にＵＳＢメモリの装着を監視し、離脱が確認されたら、即座に機械の運転を中止し、図２（ｂ）の拒絶メッセージを表示するように構成することも可能である。
【００２３】
本実施例において、包装機械への操作者の登録は、包装機械製造者によって、予め登録しておく構成となっている。操作者を増やす場合、包装機械製造者に依頼して、必要情報を書き込んだＵＳＢメモリを購入すると同時に、包装機械への登録を行うシステムとなっている。しかし、必要情報を書き込んだＵＳＢメモリを購入するのみにして、包装機械への登録は包装機械使用者が行うように構成することも可能である。
【実施例２】
【００２４】
本発明の第２から第4の発明を実施した場合を説明する。この発明は、アクセス権限に応じたアクセスレベルが設定されており、前記アクセスレベルによって表示部に表示される操作画面または操作項目の種類及び内容が異なる包装機械において、アクセス権限の識別に持ち運びが可能な記憶手段に書き込まれている個人識別情報又は包装機械へのアクセス権限情報を用いるものである。アクセス権限に応じたアクセスレベルを実施する形態としては、アクセスレベルによって表示部に表示される操作画面または操作項目の種類及び内容を、機械製造者が予め用意してあるものを使用するか、機械使用者がカスタマイズするかによって２通りの方法がある。また、アクセス権限の識別を行うためのデータに、機械製造者が予め持ち運びが可能な記憶手段に書き込んでおいたアクセス権限情報を用いる方法と、機械製造者が予め持ち運びが可能な記憶手段に書き込んでおいた個人識別情報を利用して、機械使用者がアクセスレベルを包装機械に登録して決める方式の２通りの方法がある。以上の組合せにより４通りの方法が存在しているが、ここでは、アクセスレベルによって表示部に表示される操作画面または操作項目の種類及び内容を、機械製造者が予め用意してあるものを使用し、アクセス権限の識別を行うためのデータに、機械製造者が予め持ち運びが可能な記憶手段に書き込んでおいたアクセス権限情報を用いる方法について図３、図４、図５、図６を参照しながら説明する。持ち運びが可能な記憶手段はＵＳＢメモリであり、該ＵＳＢメモリの接続先は包装機械の表示・操作を行っているパネルコンピュータであり、ＵＳＢメモリのベンダー領域１０にアクセス可能なアプリケーションが組み込まれている。
【００２５】
図３は、包装機械の操作画面の構成と各画面のアクセスレベルを示した図である。アクセスレベルは、レベル１から３までの３段階用意されている。レベル１Ｌ１は、生産ラインのオペレータ用であり、製品番号変更画面、日付印字位置の調整などの各位置調整画面にのみアクセス可能となっている。レベル２Ｌ２は生産ラインの責任者用で、レベル１の内容に加えて、各シーラの温度の設定を行う温度設定画面に対してアクセスが可能となっている。レベル３Ｌ３が最も高度ですべての設定画面にアクセス可能となっている管理者用レベルである。図４（ａ）にレベル１Ｌ１のときの運転画面、図４（ｂ）にレベル２Ｌ２のときの運転画面、図４（ｃ）にレベル３Ｌ３のときの運転画面を図示する。レベル１Ｌ１では、図４（ａ）に示すように製品番号変更画面、各位置調整画面の呼び出しボタンしか表示されていない。レベル２Ｌ２では、レベル１Ｌ１の内容に加えて、温度設定画面の呼び出しボタンが表示されるようになっている。レベル３Ｌ３は、すべての設定画面にアクセス可能なので目次画面への呼び出しボタンが表示されるようになっている。
【００２６】
レベルの変更は図４（ａ）、図４（ｂ）、図４（ｃ）に示す運転画面の右上にあるレベル変更ボタン２を押して、図５（ａ）に示す操作レベル変更画面を表示させて行う。この実施例でのレベル変更の操作において、アクセスレベル権限の識別が必要になるのは、より高次のレベルに移行しようとするときのみで、低次のレベルへの移行にはアクセスレベル権限の識別を必要としない構成となっている。図５（ａ）は、レベル２Ｌ２で使用中のときの例を示しているが、この場合、レベル２Ｌ２よりも低次であるレベル１Ｌ１を選択した場合は無条件でレベル１Ｌ１に移行し運転画面が表示されるが、レベル２より高次のレベル３Ｌ３が選択された場合は、図５（ｂ）に示すようなメッセージが表示され、レベル３Ｌ３が登録されているＵＳＢメモリの接続を促す。ＵＳＢメモリを接続し実行ボタン３を押すと、ＵＳＢメモリのベンダー領域内のアクセス権限情報１２のデータを確認し、レベル３Ｌ３であれば、図６（ａ）に示すメッセージを表示し、確認ボタン１が押されると、レベル３Ｌ３に移行し図４（ｃ）に示す運転画面を表示する。レベル３以外のデータの場合やまったく異なるＵＳＢメモリだった場合は、図６（ｂ）に示す、拒絶のメッセージが表示され、レベル変更は行われない。
【００２７】
本実施例では、操作者、責任者、管理者を増やしたり、変更したりする場合は、包装機械製造者に依頼して、必要情報を書き込んだＵＳＢメモリを購入するか、既存のＵＳＢメモリの関連情報の書き換えが必要となるシステムとなっている。
【実施例３】
【００２８】
本発明の第５の発明を実施した場合を説明する。本実施例は、第１から第４の何れかの発明が実施された場合、即ち前記実施例１又は前記実施例２が行われている場合に実施できるものである。前記実施例１又は前記実施例２の場合、機械の操作又は機械の設定変更を行う場合、ベンダー領域１０に個人識別情報１１又は包装機械へのアクセス権限情報１２を書き込んだＵＳＢメモリを装着しなければできないのであるから、必然的に包装機械のパネルコンピュータは、個人識別情報１１又は包装機械へのアクセス権限情報１２を把握できることになる。本実施例では操作が行われる毎にその操作が実行された、日時、操作内容を記録すると共に個人識別情報１１又は包装機械へのアクセス権限情報１２も同時に記録するものである。図７(ａ)に記録データの構成を示す。記録データは、年月日データ３０、時刻データ３１、操作項目データ３２、変更前データ３３、変更後データ３４、操作者名データ３５、操作者アクセスレベルデータ３６から構成されている。年月日データ３０、時刻データ３１、は操作が行なわれた日時の記録である。操作項目データ３２は、何の操作をしたかの記録である。操作前データ３３、操作後データ３４は、どのように変更されたかの記録である。操作者名データ３５、操作者アクセスレベルデータ３６は、誰が操作を行なったかの記録であり、ＵＳＢメモリの個人識別情報１１の中の個人名の文字データ１６と、アクセス権限情報１２を利用する。このように記録した操作履歴を図７（ｂ）に示すような履歴確認画面で閲覧に供する。これにより、何時、誰が、何の操作をどのように変更したかが、容易に把握できる。また、該操作履歴はＵＳＢメモリに保存可能なことは言うまでもない。
【実施例４】
【００２９】
本発明の第６の発明を実施した場合を説明する。これは、包装品の品質に影響するような重大な警報で包装機械が停止したときに、運転再開の際に責任者の確認を求める機能を備えた包装機械に関するものである。包装品の品質に影響するような重大な警報には、例えば日付印字装置の警報が該当する。包装袋に印字される日付等の情報は、被包装品の品質を表示する重要なものである。特に、被包装品が食品である場合、包装袋に印字される日付等の情報は必須のものであり、これが欠落していたり、判読不能な状態で出荷されてしまうと、社会問題になるほどの重大な影響を及ぼすことさえある。したがって、日付印字装置に警報が発生した場合に、操作者に装置の確認を求めると共に、しかるべき管理者の承認なしでは運転を再開できないように構成された包装機械が存在する。本実施例は、前記のような日付印字装置に警報が発生した場合にしかるべき管理者の承認なしでは運転を再開できないように構成された包装機械において、管理者の承認手段として、持ち運びが可能な記憶手段に書き込まれている個人識別情報又は包装機械へのアクセス権限情報を用いるものである。持ち運びが可能な記憶手段はＵＳＢメモリであり、ベンダー領域１０に個人識別情報１１又は包装機械へのアクセス権限情報１２が、包装機械製造者により書き込まれている。該ＵＳＢメモリの接続先は包装機械の表示・操作を行っているパネルコンピュータであり、ＵＳＢメモリのベンダー領域１０にアクセス可能なアプリケーションが組み込まれている。
【００３０】
日付装置から警報が発生した場合、包装機械は図８（ａ）に示すような表示を行う。画面表示後は、図８（ｂ）のフローチャートに示される処理を実行する。まず、ＵＳＢメモリの接続確認２１を行い、ＵＳＢメモリが接続されていれば、識別情報の確認２２に移行し、ＵＳＢの装着が確認できなければ拒絶メッセージの表示２４を行う。識別情報の確認２２ではＵＳＢメモリに書き込まれているアクセス権限情報１２のデータがレベル３Ｌ３であるかをチェックし、レベル３Ｌ３であれば確認終了メッセージ２３の表示に移行し、一致しなければ拒絶メッセージ２４の表示を行う。この実施例では、管理者の識別にアクセス権限情報のデータを利用し、最高レベルであるレベル３であれば、管理者として識別するシステムとなっている。管理者が、日付装置の点検を終えて、ＵＳＢメモリをパネルコンピュータに接続し、図８（ａ）に示される確認ボタン１を押すと、管理者の識別が行われる。管理者認証ができたときは、図９（ａ）に示す確認終了メッセージの表示２３を行い、運転が再開できることを知らせる。認証ができなかった場合。またはＵＳＢメモリを接続せずに確認ボタンが１押された場合は図９（ｂ）に示す拒絶メッセージの表示２４を行い、認証ができなかったことを知らせる。
【００３１】
本実施例では、認証のデータにアクセス権限情報のデータを利用しているが、個人識別情報を利用し、包装機械に警報確認者として登録しておくように構成することも可能である。また、個人識別情報又は包装機械へのアクセス権限情報とは別に警報確認者のデータをＵＳＢメモリに設けて、該警報確認者のデータを用いて認証を行うようにすることももちろん可能である。
【実施例５】
【００３２】
本発明の第７の発明を実施した場合を説明する。これは、機械の運転に必要な設定データ又は操作履歴や生産記録を含む稼動データを持ち運びが可能な記憶手段に保存する機能を備えた包装機械において、データの保存の際に、該保存の実行を管理者に制限する機能を備え、その識別に持ち運びが可能な記憶手段に書き込まれている個人識別情報又は包装機械へのアクセス権限情報を用いることを特徴とする包装機械管理システムに関するものである。持ち運びが可能な記憶手段はＵＳＢメモリであり、ベンダー領域１０に個人識別情報１１又は包装機械へのアクセス権限情報１２が、包装機械製造者により書き込まれている。該ＵＳＢメモリの接続先は包装機械の表示・操作を行っているパネルコンピュータであり、ＵＳＢメモリのベンダー領域１０にアクセス可能なアプリケーションが組み込まれている。
【００３３】
データの保存作業が選択されたときに、図１０（ａ）に示す管理者権限の確認を促す表示を行う。確認ボタン１が押されると、図１０（ｂ）のフローチャートに示される処理を実行する。まず、ＵＳＢメモリの接続確認２１を行い、ＵＳＢメモリが接続されていれば、識別情報の確認２２に移行し、ＵＳＢの装着が確認できなければ拒絶メッセージの表示２４を行う。識別情報の確認２２ではＵＳＢメモリに書き込まれているアクセス権限情報１２のデータがレベル３Ｌ３であるかをチェックし、レベル３Ｌ３であれば確認終了メッセージ２３の表示に移行し、一致しなければ拒絶メッセージ２４の表示を行う。この実施例では、管理者の識別にアクセス権限情報のデータを利用し、最高レベルであるレベル３Ｌ３であれば、管理者として識別するシステムとなっている。管理者の識別に成功したら図１１（ａ）に示す確認終了メッセージの表示２３の表示を行い、識別できなかった場合は図１１（ｂ）に示す拒絶メッセージの表示２４を行う。管理者の識別ができた場合は、図１１（ａ）に示す確認ボタン１が押されたら、データ保存を行う画面に移行するが、識別できなかった場合は、データ保存を行う画面に移行することはできない。
【００３４】
本実施例では、認証のデータにアクセス権限情報のデータを利用しているが、個人識別情報を利用し、包装機械に警報確認者として登録しておくように構成することも可能である。また、個人識別情報又は包装機械へのアクセス権限情報とは別にデータ保存者のデータをＵＳＢメモリに設けて、該警報確認者のデータを用いて認証を行うようにすることももちろん可能である。
【符号の説明】
【００３５】
１  確認ボタン                  ２  レベル変更ボタン
３  実行ボタン                １０  ベンダー領域
１１  個人識別情報              １２  アクセス権限情報
１３  会社ＩＤコード            １４  会社名文字データ
１５  個人ＩＤコード            １６  個人名文字データ  
２１  ＵＳＢの接続確認          ２２  識別情報の確認
２３  確認終了メッセージ        ２４  拒絶メッセージ
Ｌ１  レベル１                  Ｌ２  レベル２
Ｌ３  レベル３                  ３０  年月日データ
３１  時刻データ                ３２  操作項目名データ
３３  変更前データ              ３４  変更後データ
３５  操作者名データ            ３６  操作者アクセスレベルデータ
【図１】
2012006647.tif 000003
【図２】
2012006647.tif 000004
【図３】
2012006647.tif 000005
【図４】
2012006647.tif 000006
【図５】
2012006647.tif 000007
【図６】
2012006647.tif 000008
【図７】
2012006647.tif 000009
【図８】
2012006647.tif 000010
【図９】
2012006647.tif 000011
【図１０】
2012006647.tif 000012
【図１１】
2012006647.tif 000013